(57)【要約】      （修正有）【課題】興趣性に優れた装飾眼鏡を提供する。【解決手段】装飾眼鏡Ａは、眼鏡フレーム１０ａとレンズ２０とを備えている。眼鏡フレーム１０ａは、レンズ２０を保持する前枠１ａと、前枠１ａの両端からそれぞれ先端部側（前枠１ａ側とは反対側の端部）に延出する左右一対のテンプル２ａと、前枠１ａの両端部でテンプル２ａを開閉させるための蝶番４とを具備している。装飾片３０ａは、眼鏡フレーム１０ａを構成する前枠１ａに取り付けられ、該前枠１ａに対して前後方向に回動可能に構成されていて、樹脂材料からなっており、前枠１ａに左右一対取り付けられている。【選択図】図２
0003108968.tif 000002
【実用新案登録請求の範囲】
【請求項１】
眼鏡フレームを構成する前枠又はテンプルに取り付けられ、前記前枠又は前記テンプルに対して前後方向に回動可能に構成された装飾片を具備することを特徴とする装飾眼鏡。
【請求項２】
前記装飾片は、前記前枠又は前記テンプルに左右一対取り付けられていることを特徴とする請求項１に記載の装飾眼鏡。
【請求項３】
前記装飾片は、数字を模擬した形状とされていることを特徴とする請求項２に記載の装飾眼鏡。
【請求項４】
前記装飾片は、正面視で前記前枠と略一直線上に配列される状態を取り得るように回動可能とされていることを特徴とする請求項３に記載の装飾眼鏡。
【請求項５】
前記装飾片は、サングラスを具備し、前記サングラスが前記前枠に嵌め込まれた眼鏡レンズと重なり合う状態を取り得るように回動可能とされていることを特徴とする請求項２から４のいずれかに記載の装飾眼鏡。
【考案の詳細な説明】
【技術分野】
【０００１】
本考案は、装飾を施した装飾眼鏡に関する。
【背景技術】
【０００２】
装飾を施した装飾眼鏡として、眼鏡本体の適宜箇所に、眼鏡本体に狭持する狭持部付の装飾片を着脱自在に取り付けてなるものが提案されている（特許文献１）。
【特許文献１】特開平８−４３７７０号公報
【考案の開示】
【考案が解決しようとする課題】
【０００３】
このような従来の装飾眼鏡では、装飾片が着脱自在であるため、種々の装飾片に付け替えることは可能であるものの、取り付けられた装飾片に動きがないため、意外性がなく、クリスマスパーティ等のイベント用に使用したり、宣伝広告及び販売促進用の物品（ノベリティグッズ）として顧客に提供するには興趣性に欠ける。
【０００４】
本考案は、斯かる従来技術の問題点を解決するべくなされたものであり、興趣性に優れた装飾眼鏡を提供することを課題とする。
【課題を解決するための手段】
【０００５】
前記課題を解決するべく、本考案は、眼鏡フレームを構成する前枠又はテンプルに取り付けられ、前記前枠又は前記テンプルに対して前後方向に回動可能に構成された装飾片を具備することを特徴とする装飾眼鏡を提供するものである。
【０００６】
本考案にいう「前枠又はテンプルに対して前後方向に回動」とは、装飾眼鏡の使用姿勢において、前枠又はテンプルに対して略鉛直方向に沿う回転軸線回りに回動することをいう。また、本考案にいう「前枠」には、両端部からテンプルにつなげる部分、所謂ヨロイ（智）を含む。
【０００７】
本考案に係る装飾眼鏡によれば、眼鏡フレームを構成する前枠又はテンプルに取り付けられる装飾片が、前記前枠又は前記テンプルに対して前後方向に回動可能に構成されているので、該装飾片を回動させることで、該装飾片に動きを出すことができ、従って、装飾眼鏡自体を様々な態様に変化させることができ、これにより、意外性があり、興趣性を有するものとして、例えば、クリスマスパーティ等のイベント用に使用したり、ノベリティグッズとして顧客に提供する際に従来よりも顧客を喜ばせることができる。
【０００８】
前記装飾片の材料としては、樹脂材料、金属材料等の各種材料を用いることができる。前記装飾片は、一つに限定されず、複数取り付けられてもよい。例えば、前記装飾片が前枠又は前記テンプルに左右一対取り付けられている場合を挙げることができる。
【０００９】
前記装飾片の態様としては、動物、植物、キャラクターなどの図柄を模した態様の他、数字を模擬した形状とされていてもよい。このように数字を模擬した形状とされている場合であって、前記前枠又は前記テンプルに左右一対取り付けられている場合において、前記装飾片は、正面視で（正面から視ると）前記前枠と略一直線上に配列される状態を取り得るように回動可能とさ得る。例えば、前枠を、数字の「０」を水平方向に二つ並設した形状とみなし、該前枠又はテンプルの右側（即ち、装飾眼鏡の使用姿勢において装着者からみて右側、以下同じ）に取り付けられている装飾片を数字の「２」を模擬した形状とすると共に、該前枠又はテンプルの左側（即ち、装飾眼鏡の使用姿勢において装着者からみて左側、以下同じ）に取り付けられている装飾片を「０」から「９」のうちいずれかの数字を模擬した形状とすれば、該装飾片を折りたたんでいるときには、実質的に通常の眼鏡の形態を呈する一方、該装飾片を開いたときには、正面視で西暦の形態（例えば、前枠又はテンプルの右側の装飾片を千の位の「２」、前枠の右側を百の位の「０」、前枠の左側を十の位の「０」、前枠又はテンプルの左側の装飾片を一の位の「６」とみなすことで、西暦『２００６』年の形態）を呈することができる。
【００１０】
本考案に係る装飾眼鏡において、前記装飾片は、サングラスを具備し、前記サングラスが前記前枠に嵌め込まれた眼鏡レンズと重なり合う状態を取り得るように回動可能とされていてもよい。こうすることで、前記装飾片を折りたたんでいるときには、サングラス眼鏡として使用することができる。この構成にするには、前記装飾片を、例えば、前枠に取り付ければよい。なお、この構成において、前記サングラスを除去し、単に前記装飾片が枠のみのを含む形状としてもよいし、サングラスに代えて、３Ｄ（立体）画像視認用としての偏光フィルターや色フィルター（例えば、赤と緑の色フィルター）を設けてもよい。或いは、サングラスに代えて、視力向上、眼精疲労防止用としてのピンホールを設けたレンズを設けてもよい。
【００１１】
本考案に係る装飾眼鏡において、前記装飾片の前枠又はテンプルへの取付形態としては、前記装飾片を前枠又はテンプルに回動可能に嵌着する取付形態や、前記装飾片を前枠又はテンプルに回動可能にピンやビス等の軸部材を用いて取り付ける取付形態等を例示できる。
【考案の効果】
【００１２】
以上説明したように本考案によると、興趣性に優れた装飾眼鏡を提供することができる。
【考案を実施するための最良の形態】
【００１３】
以下、本考案に係る第１及び第２実施形態について添付図面を参照しながら説明する。
【００１４】
（第１実施形態）
図１は、本考案の第１実施形態に係る装飾眼鏡Ａの概略構成を示す図であって、図１（Ａ）は、後述する装飾片３０ａが開いた状態を示す斜視図、図１（Ｂ）は、該装飾片３０ａが閉じた状態を示す斜視図、図１（Ｃ）は、該装飾片３０ａが閉じた状態を示す左側面図である。また、図２は、図１に示す装飾眼鏡Ａにおいて、装飾片３０ａが前枠１ａに取り付けられている状態を示す概略斜視図である。
【００１５】
なお、図１（Ｃ）及び図２では、装飾眼鏡Ａの左側（即ち、装飾眼鏡Ａの使用姿勢において装着者からみて左側）部分を示している。この左側部分は右側（即ち、装飾眼鏡Ａの使用姿勢において装着者からみて右側）部分とは左右対称になっているだけで、該右側部分と実質的に同様の構成をしており、ここでは、右側部分については図示を省略し、左側部分に代表させて示している。
【００１６】
図１に示す装飾眼鏡Ａは、眼鏡フレーム１０ａとレンズ２０とを備えている。眼鏡フレーム１０ａは、レンズ２０を保持する前枠１ａと、該前枠１ａの両端からそれぞれ先端部側（前枠１ａ側とは反対側の端部）に延出する左右一対のテンプル２ａと、前枠１ａの両端部でテンプル２ａを開閉させるための蝶番４（図１では図示を省略、図２参照）とを具備している。
【００１７】
この装飾眼鏡Ａは、さらに、装飾片３０ａを具備している。この装飾片３０ａは、眼鏡フレーム１０ａを構成する前枠１ａに取り付けられ、該前枠１ａに対して前後方向に回動可能に構成されていて、本例では、樹脂材料からなっており、前枠１ａに左右一対取り付けられている。
【００１８】
さらに説明すると、図２に示すように、前枠１ａには、側方における上下方向中央部分で細くなった支持軸１ａ’が設けられている。一方、装飾片３０ａには、一部に前枠１ａの支持軸１ａ’の径よりも小さい幅の開口３１ａ’が設けられた嵌合部３１ａであって、該開口３１ａ’から該支持軸１ａ’が嵌入されることで、該支持軸１ａ’回りに回動自在に該支持軸１ａ’と嵌合する断面略Ｃ字形状の嵌合部３１ａを含む嵌着部材３２ａが設けられている。これにより、装飾片３０ａは、嵌着部材３２ａの嵌合部３１ａが前枠１ａの支持軸１ａ’に回動自在に嵌着されることで、該前枠１ａに対して略鉛直方向に沿う回転軸線回り回動自在に支持され得る。
【００１９】
また、装飾片３０ａは、本例では、数字を模擬した形状とされており、正面視で（正面から視ると）前枠１ａと略一直線上に配列される状態を取り得るように回動可能とさている。さらに具体的に言えば、前枠１ａを、数字の「０」を水平方向に二つ並設した形状とみなし、該前枠１ａの右側に取り付けられている装飾片３０ａを数字の「２」を模擬した形状とすると共に、該前枠１ａの左側に取り付けられている装飾片３０ａを数字の「６」を模擬した形状としている。これにより、該装飾片３０ａを折りたたんでいるときには、実質的に通常の眼鏡の形態を呈する一方（図１（Ｂ）参照）、該装飾片３０ａを開いたときには、正面視で西暦の形態（即ち、前枠１ａの右側の装飾片３０ａを千の位の「２」、前枠１ａの右側を百の位の「０」、前枠１ａの左側を十の位の「０」、前枠１ａの左側の装飾片３０ａを一の位の「６」とみなすことで、西暦『２００６』年の形態）を呈することができる（図１（Ａ）参照）。
【００２０】
さらに、装飾片３０ａは、サングラス３３を具備し、該サングラス３３が前枠１ａに嵌め込まれた眼鏡レンズ２０と重なり合う状態を取り得るように回動可能とされている。こうすることで、装飾片３０ａを折りたたんでいるときには、図１（Ｂ）に示すように、サングラス眼鏡として使用することができる。なお、この構成において、サングラス３３を除去し、単に装飾片３０ａが枠のみのを含む形状としてもよいし、サングラス３３に代えて、３Ｄ（立体）画像視認用としての偏光フィルターや色フィルター（例えば、赤と緑の色フィルター）を設けてもよい。或いは、図３に示すように、サングラス３３に代えて、視力向上、眼精疲労防止用としてのピンホールを設けたレンズ３４を設けてもよい。
【００２１】
（第２実施形態）
図４は、本考案の第２実施形態に係る装飾眼鏡Ｂの概略構成を示す図であって、図４（Ａ）は、後述する装飾片３０ｂが開いた状態を示す斜視図、図４（Ｂ）は、該装飾片３０ｂが閉じた状態を示す斜視図、図４（Ｃ）は、該装飾片３０ｂが閉じた状態を示す左側面図である。また、図５は、図４に示す装飾眼鏡Ｂにおいて、装飾片３０ｂがテンプル２ｂに取り付けられている状態を示す概略斜視図である。
【００２２】
なお、図４（Ｃ）及び図５では、装飾眼鏡Ｂの左側（即ち、装飾眼鏡Ｂの使用姿勢において装着者からみて左側）部分を示している。この左側部分は右側（即ち、装飾眼鏡Ｂの使用姿勢において装着者からみて右側）部分とは左右対称になっているだけで、該右側部分と実質的に同様の構成をしており、ここでは、右側部分については図示を省略し、左側部分に代表させて示している。また、図４及び図５において、図１に示す装飾眼鏡Ａと実質的に同じ構成、作用を有する箇所には、同じ参照符号を付してある。
【００２３】
図４に示す装飾眼鏡Ｂは、眼鏡フレーム１０ｂとレンズ２０とを備えている。眼鏡フレーム１０ｂは、レンズ２０を保持する前枠１ｂと、該前枠１ｂの両端からそれぞれ先端部側（前枠１ｂ側とは反対側の端部）に延出する左右一対のテンプル２ｂと、前枠１ｂの両端部でテンプル２ｂを開閉させるための蝶番４（図４では図示を省略、図５参照）とを具備している。
【００２４】
この装飾眼鏡Ｂは、さらに、装飾片３０ｂを具備している。この装飾片３０ｂは、眼鏡フレーム１０ｂを構成する左右のテンプル２ｂに取り付けられ、該テンプル２ｂに対して前後方向に回動可能に構成されている。
【００２５】
さらに説明すると、図５に示すように、テンプル２ｂには、側方に突出する支持部２ｂ’が設けられている。一方、装飾片３０ｂには、テンプル２ｂの支持部２ｂ’の厚みと略同じ間隔をおいて対向配置された回動部３１ｂであって、該支持部２ｂ’を狭持するように該支持部２ｂ’に嵌め込まれる共に、ピンやビス等の軸部材３２ｂを介して該軸部材３２ｂ回りに回動自在に該支持部２ｂ’に取り付けられる回動部３１ｂが設けられている。これにより、装飾片３０ｂは、テンプル２ｂに対して略鉛直方向に沿う回転軸線回り回動自在に支持され得る。
【００２６】
また、装飾片３０ｂは、本例では、数字を模擬した形状とされており、正面視で前枠１ｂと略一直線上に配列される状態を取り得るように回動可能とさている。さらに具体的に言えば、前枠１ｂを、数字の「０」を水平方向に二つ並設した形状とみなし、右側テンプル２ｂに取り付けられている装飾片３０ｂを数字の「２」を模擬した形状とすると共に、左側テンプル２ｂに取り付けられている装飾片３０ｂを数字の「６」を模擬した形状としている。これにより、該装飾片３０ｂを折りたたんでいるときには、実質的に通常の眼鏡の形態を呈する一方（図４（Ｂ）参照）、該装飾片３０ｂを開いたときには、正面視で西暦の形態（即ち、右側テンプル２ｂの装飾片３０ｂを千の位の「２」、前枠１ｂの右側を百の位の「０」、前枠１ｂの左側を十の位の「０」、左側テンプル２ｂの装飾片３０ｂを一の位の「６」とみなすことで、西暦『２００６』年の形態）を呈することができる（図４（Ａ）参照）。なお、本例の装飾片３０ｂは、図１に示すようなサングラスを具備しておらず、単に枠のみのを含む形状としている。
【００２７】
以上説明した装飾眼鏡Ａ，Ｂによれば、眼鏡フレーム１０ａ，１０ｂを構成する前枠１ａ又はテンプル２ｂに取り付けられる装飾片３０ａ，３０ｂが、前枠１ａ又はテンプル２ｂに対して前後方向に回動可能に構成されているので、該装飾片３０，３０ｂを回動させることで、該装飾片３０，３０ｂに動きを出すことができ、従って、装飾眼鏡Ａ，Ｂ自体を様々な態様に変化させることができ、これにより、意外性があり、興趣性を有するものとして、例えば、クリスマスパーティ等のイベント用に使用したり、ノベリティグッズとして顧客に提供する際に従来よりも顧客を喜ばせることができる。
【図面の簡単な説明】
【００２８】
【図１】図１は、本考案の第１実施形態に係る装飾眼鏡の概略構成を示す図であって、図１（Ａ）は、装飾片が開いた状態を示す斜視図、図１（Ｂ）は、装飾片が閉じた状態を示す斜視図、図１（Ｃ）は、装飾片が閉じた状態を示す左側面図である。
【図２】図２は、図１に示す装飾眼鏡において、装飾片が前枠に取り付けられている状態を示す概略斜視図である。
【図３】図３は、図１に示す装飾眼鏡において、装飾片におけるサングラスに代えて、視力向上、眼精疲労防止用としてのピンホールを設けたレンズが設けられている状態を示す概略斜視図である。
【図４】図４は、本考案の第２実施形態に係る装飾眼鏡の概略構成を示す図であって、図４（Ａ）は、装飾片が開いた状態を示す斜視図、図４（Ｂ）は、装飾片が閉じた状態を示す斜視図、図４（Ｃ）は、装飾片が閉じた状態を示す左側面図である。
【図５】図５は、図４に示す装飾眼鏡において、装飾片がテンプルに取り付けられている状態を示す概略斜視図である。
【符号の説明】
【００２９】
Ａ，Ｂ…装飾眼鏡  １ａ，１ｂ…前枠  ２ａ，２ｂ…テンプル  
１０ａ，１０ｂ…眼鏡フレーム  ２０…眼鏡レンズ  ３０ａ，３０ｂ…装飾片  
３３…サングラス  
【図１】
0003108968.tif 000003
【図２】
0003108968.tif 000004
【図３】
0003108968.tif 000005
【図４】
0003108968.tif 000006
【図５】
0003108968.tif 000007